(57)【要約】　　　（修正有）【課題】半永久的な耐久性を持つトンネル・暗渠・橋梁・水路等及び擁壁等を実現することができる、複数の自然石が湾曲面とほぼ並行に並べられた状態で固化されている自然石パネルの製造方法。【構成】上面が凹状又は凸状に湾曲した曲面となっている底板を含む下型枠を上面に複数の大径の自然石を並べる工程と、前記複数の大径の自然石同士の間の複数の隙間から前記底板の上面に砂などの粒状体を多くとも前記自然石の高さの半分以下の寸法の厚さまで敷き詰めて、自然石同士の間の複数の隙間に、複数の小径の自然石を配置する工程と、前記下型枠の上部に、前記下型枠とほぼ同じ平面形状を有してた上型枠を取り付ける工程と、前記上型枠の上方の開口部から、生コンクリートなどの固化材を、その上面が前記下型枠の底板の上面とほぼ並行な曲面になるように、入れる工程と、養生脱型後前記粒状体を水で洗い落とす工程と、を含む方法。【選択図】　　図１
2004122368.tif 000002
【特許請求の範囲】
【請求項１】
複数の自然石が湾曲した面とほぼ並行に並べられた状態で固化されている自然石パネルの製造方法であって、
上面が凹状又は凸状に湾曲した曲面となっている底板を含む下型枠を形成又は用意する工程と、
前記下型枠の底板の上面の上に複数の大径の自然石を並べる工程と、
前記複数の大径の自然石同士の間の複数の隙間から前記下型枠の底板の上面に砂などの粒状体を落して、前記粒状体を前記大径の自然石の高さの半分よりも低い高さの位置まで敷き詰めて、この敷き詰めた前記粒状体を水で締める工程と、
前記複数の大径の自然石同士の間の複数の隙間に、前記隙間が上方から見て露出しなくなるように、それぞれ一つ又は複数の小径の自然石を配置する工程と、
前記下型枠の上部に、前記下型枠とほぼ同じ平面形状を有しており上方及び下方が開口部となっている上型枠を取り付ける工程と、
前記上型枠の上方の開口部から、前記複数の大径及び小径の自然石を互いに固化するための生コンクリートなどの固化材を、その上面が前記下型枠の底板の上面とほぼ並行な曲面になるように、前記上型枠の内部に入れる工程と、
前記固化材が固化した後、前記上型枠及び下型枠を取り除く工程と、
を含むことを特徴とする自然石パネルの製造方法。
【請求項２】
請求項１において、さらに、前記大径の自然石を並べる前に、前記下型枠の側部の上部に、前記大径の自然石の一部が前記下型枠の側部から外側にはみ出すことを防止するためのはみ出し防止用仮枠を備えるようにした、ことを特徴とする自然石バネルの製造方法。
【請求項３】
請求項１又は２において、前記複数の大径の自然石同士の間の複数の隙間にそれぞれ一つ又は複数の小径の自然石を配置した後、前記小径の自然石の上に砂などの粒状体を落下させて、この落下させた前記粒状体を水で締めるようにした、ことを特徴とする自然石パネルの製造方法。
【請求項４】
請求項１，２又は３において、前記下型枠の上部に前記上型枠を取り付けた後、前記複数の大径の自然石の上に、前記固化材を補強するための鉄筋を取り付けるようにした、ことを特徴とする自然石パネルの製造方法。
【請求項５】
請求項１，２又は３において、前記下型枠は、その側部の上端の高さが、前記下型枠の底板の上面に並べられた前記大径の自然石の半分の高さよりも低い位置となるように構成されている、ことを特徴とする自然石パネルの製造方法。
【請求項６】
複数の自然石が湾曲面とほぼ並行に並べられた状態で固化されている自然石パネルの製造方法であって、
上面が平板状になっている底板を含む下型枠を形成又は用意する工程と、
前記下型枠の底板の上面の上に、砂などの粒状体から成りその上面が凹状又は凸状に湾曲した曲面となるように、砂などの粒状体を敷き詰める工程と、
前記の粒状体から成り凹状又は凸状に湾曲した上面の上に、複数の大径の自然石を並べる工程と、
前記複数の大径の自然石同士の間の複数の隙間から、砂などの粒状体を落して、前記粒状体を前記自然石の高さの半分より低い高さ位置まで敷き詰めて、その後前記粒状体に水を振り掛けることにより、前記粒状体を水で締める工程と、
前記複数の大径の自然石同士の間の複数の隙間に、前記隙間が上方から見て露出しなくなるように、それぞれ一つ又は複数の小径の自然石を配置する工程と、
前記下型枠の上部に、前記下型枠とほぼ同じ平面形状を有しており上方及び下方が開口部となっている上型枠を取り付ける工程と、
前記上型枠の上方の開口部から、前記複数の大径及び小径の自然石を互いに固化するための生コンクリートなどの固化材を、その上面が前記の粒状体から成り凹状又は凸状に湾曲した上面とほぼ並行な曲面になるように、前記上型枠の内部に入れる工程と、
前記固化材が固化した後、前記上型枠及び下型枠を取り除く工程と、
を含むことを特徴とする自然石パネルの製造方法。
【請求項７】
請求項６において、さらに、前記大径の自然石を並べる前に、前記下型枠の側部の上部に、前記大径の自然石の一部が前記下型枠の側部から外側にはみ出すことを防止するためのはみ出し防止用仮枠を備えるようにした、ことを特徴とする自然石バネルの製造方法。
【請求項８】
請求項６又は７において、前記複数の大径の自然石同士の間の複数の隙間にそれぞれ一つ又は複数の小径の自然石を配置した後、前記複数の小径の自然石の上に砂などの粒状体を落下させて、この落下させた前記粒状体を水で締めるようにした、ことを特徴とする自然石パネルの製造方法。
【請求項９】
請求項６，７又は８において、前記下型枠の上部に前記上型枠を取り付けた後、前記複数の大径の自然石の上に、前記固化材を補強するための鉄筋を取り付けるようにした、ことを特徴とする自然石パネルの製造方法。
【発明の詳細な説明】
【０００１】
【発明の属する技術分野】
本発明は、表面に複数の自然石が現出するように複数の自然石が並べられて成る自然石パネルの製造方法に関する。
【０００２】
【従来の技術】
従来より、表面に複数の自然石が現出するように、複数の自然石が横に平板状（断面直線状）並べられた状態で固化されている石垣用ブロックが知られている（例えば、特許文献１，２参照）。
【特許文献１】
特許第２５５９１７９号公報
【特許文献２】
特許第３１２６８８５号公報
【０００３】
【発明が解決しようとする課題】
しかしながら、従来の石垣用ブロックは、平板状の板の上に複数の自然石を並べてそれを生コンクリートで固化するだけのものであるため、石垣の構築用に使用する場合でも、単に、景観や自然環境に適しているというメリットを有するだけで、それ以上のメリット、例えば、擁壁で支持された土地の有効利用、擁壁で護岸された河川や港湾の有効利用、カーブのある道路や河川のための擁壁構築作業の効率化や擁壁の見栄えの向上などのメリットを生じることはできなかった。
【０００４】
本発明はこのような従来技術の問題点に着目してなされたものであって、単なる景観や自然環境適応性のメリットを超えるメリット、例えば、擁壁で支持された土地の有効利用、擁壁で護岸された河川や港湾の有効利用、カーブのある道路や河川のための擁壁構築作業の効率化と景観・見栄えの向上、擁壁等の構造物の半永久的な強度と耐久性の向上などのメリットを実現することができる、自然石パネルの製造方法を提供することを目的とするものである。
【０００５】
【課題を解決するための手段】
このような従来技術の課題を解決するための本発明による自然石パネルの製造方法は、複数の自然石が湾曲面とほぼ並行に並べられた状態で固化されている自然石パネルの製造方法であって、上面が凹状又は凸状に湾曲した曲面となっている底板を含む下型枠を形成又は用意する工程と、前記下型枠の底板の上面の上に複数の大径の自然石を並べる工程と、前記複数の大径の自然石同士の間の複数の隙間から前記底板の上面に砂などの粒状体を落して、前記粒状体を前記自然石の高さの半分より低い高さまで敷き詰めて、この敷き詰めた前記粒状体を水で締める工程と、前記複数の大径の自然石同士の間の複数の隙間に、前記隙間が上方から見て露出しなくなるように、それぞれ一つ又は複数の小径の自然石を配置する工程と、前記下型枠の上部に、前記下型枠とほぼ同じ平面形状を有しており上方及び下方が開口部となっている上型枠を取り付ける工程と、前記上型枠の上方の開口部から、前記複数の大径及び小径の自然石を互いに固化するための生コンクリートなどの固化材を、その上面が前記下型枠の底板の上面とほぼ並行な曲面になるように、前記上型枠の内部に入れる工程と、前記固化材が固化した後、前記上型枠及び下型枠を取り除く工程（より望ましくは、固化材が固化した後、前記上型枠及び下型枠を取り除き、クレーンやパワーショベルなどで自然石パネルのコンクリート部分に埋め込まれたアンカー（アンカーフック・アンカーボルト）を吊り上げて自然石パネルを起こして、前記粒状体を水で洗い落とす工程）と、を含むことを特徴とするものである。
【０００６】
また、本発明の自然石パネルの製造方法においては、前記大径の自然石を並べる前に、前記下型枠の側部の上部に、前記大径の自然石が前記下型枠の側部から外側にはみ出すことを防止するためのはみ出し防止用仮枠を備えるようにした、ことが望ましい。
【０００７】
また、本発明の自然石バネルの製造方法においては、前記複数の大径の自然石同士の間の複数の隙間にそれぞれ一つ又は複数の小径の自然石を配置した後、前記小径の自然石の上に砂などの粒状体を落下させて、この落下させた前記粒状体を水で締めるようにした、ことが望ましい。
【０００８】
また、本発明の自然石パネルの製造方法においては、前記下型枠の上部に前記上型枠を取り付けた後、前記複数の大径の自然石の上に、前記固化材を補強するための鉄筋を取り付けるようにした、ことが望ましい。
【０００９】
また、本発明による自然石パネルの製造方法においては、前記下型枠は、その側部の上端の高さが、前記下型枠の底板の上面に並べられた前記大径の自然石の半分の高さよりも低い位置となるように構成されている、ことが望ましい。
【００１０】
また、本発明による自然石パネルの製造方法は、複数の自然石が湾曲面とほぼ並行に並べられた状態で固化されている自然石パネルの製造方法であって、上面が平板状になっている底板を含む下型枠を形成又は用意する工程と、前記下型枠の底板の上面の上に、砂などの粒状体から成りその上面が凹状又は凸状に湾曲した曲面となるように、砂などの粒状体を敷き詰める工程と、前記粒状体から成り凹状又は凸状に湾曲した上面の上に、複数の大径の自然石を並べる工程と、前記複数の大径の自然石同士の間の複数の隙間から、砂などの粒状体を落して、前記粒状体を前記自然石の高さの半分より低い高さまで敷き詰めて、その後下方に水を放出することにより、前記粒状体を水で締める工程と、前記複数の大径の自然石同士の間の複数の隙間に、前記隙間が上方から見て露出しなくなるように、それぞれ一つ又は複数の小径の自然石を配置する工程と、前記下型枠の上部に、前記下型枠とほぼ同じ平面形状を有しており上方及び下方が開口部となっている上型枠を取り付ける工程と、前記上型枠の上方の開口部から、前記複数の大径及び小径の自然石を互いに固化するための生コンクリートなどの固化材を、その上面が前記粒状体から成り凹状又は凸状に湾曲した上面とほぼ並行な曲面になるように、前記上型枠の内部に入れる工程と、前記固化材が固化した後、前記上型枠及び下型枠を取り除く工程（より望ましくは、固化材が固化した後、前記上型枠及び下型枠を取り除き、クレーンやパワーショベルなどで自然石パネルのコンクリート部分に埋め込まれたアンカー（アンカーフック・アンカーボルト）を吊り上げて自然石パネルを起こして、前記粒状体を水で洗い落とす工程）と、を含むことを特徴とするものである。
【００１１】
また、本発明の自然石パネルの製造方法においては、前記大径の自然石を並べる前に、前記下型枠の側部の上部に、前記大径の自然石が前記下型枠の側部から外側にはみ出すことを防止するためのはみ出し防止用仮枠を備えるようにした、ことが望ましい。
【００１２】
また、本発明の自然石バネルの製造方法においては、前記複数の大径の自然石同士の間の複数の隙間にそれぞれ一つ又は複数の小径の自然石を配置した後、前記複数の小径の自然石の上に砂などの粒状体を落下させて、この落下させた前記粒状体を水で締めるようにした、ことが望ましい。
【００１３】
また、本発明の自然石パネルの製造方法においては、前記下型枠の上部に前記上型枠を取り付けた後、前記複数の大径の自然石の上に、前記固化材を補強するための鉄筋を取り付けるようにした、ことが望ましい。
【００１４】
【発明の実施の形態】
（実施形態１）　以下、図１−４を参照して本発明の実施形態１による自然石パネルの製造方法を、各工程毎に説明する。本実施形態１では、まず、図１（ａ）の断面図及び図１（ｂ）の斜視図に示すような下型枠１を用意する。この下型枠１の底板１ａは、その上面が凹状に湾曲した曲面状に形成されている。また、前記下型枠１の４つの側面から成る側部１ｂは、図示前方と後方の２つの側面の上端と下端が前記底板１ａの上面の曲面と並行に延びる曲線となっている（また、前記下型枠１の側部１ｂの図示左右の２つの側面は、長方形状となっている）。前記下型枠１は、当初から前記底板１ａが前記側部１ｂと固定されていてもよいし、擁壁工事などの現場で前記底板１ａに前記側部１ｂをピンなどで取り付けるようにしてもよい。
【００１５】
次に、図２（ａ）の断面図及び図２（ｂ）の斜視図に示すような鉄筋製の仮枠２を、前記下型枠１の側部１ｂの上部に取り付ける。前記仮枠２は、その下端が前記下型枠１の側部１ｂの上面に形成されている複数の穴に挿入されることにより、前記下型枠１に取り付けられるようになっている。なお、前記仮枠２は、後述する大径の自然石を前記下型枠１内に配置するとき、大径の自然石が前記下型枠１の側部１ｂから外側にはみ出さないようにするためのものである。
【００１６】
次に、図３（ａ）の断面図に示すように、前記下型枠１内の曲面状の底板１ａの上面の上に、複数の大径の自然石３（例えば、約２０ｃｍ又は４０ｃｍ以上）を並べていく。その際、前記複数の大径の自然石３は、相互の間になるべく隙間が無くなるように又はなるべく隙間が小さくなるように、お互いにびっしりと詰めて並べるようにする。また、その際、前記仮枠２により、前記大径の自然石３が前記下型枠１の側部１ｂの外側にはみ出すことが防止される。
【００１７】
なお、本実施形態１においては、前記下型枠１の側部１ｂの高さは、前記大径の自然石３の高さの半分よりも低いサイズとなるように設定されている（逆に言うと、前記大径の自然石３は、その高さが、前記下型枠１の側部１ｂの高さの２倍以上のサイズのものだけに選別されている）。その理由は、前記のように並べられた複数の自然石３を後述の固化材（生コンクリートなど）で互いに固定したとき、前記自然石３が固化材から抜け落ちることが無いようにするためである。
【００１８】
次に、図３（ｂ）の断面図に示すように、大径の自然石３の上方から砂４を前記下型枠１の中に振り掛けて、前記砂４を、前記大径の自然石３の相互の間の隙間から前記下型枠１の底板１ａの上に落して堆積させて行く。その際、前記大径の自然石３と前記底板１ａとの間の隙間が前記砂４で充填され、さらに、前記下型枠１の側部１ｂの上端の線（曲線）まで前記砂４で充填されるように、前記砂４を敷き詰めるようにする。その結果、前記砂４の上面は、前記下型枠１の底板１ａの曲面とほぼ並行な曲面となる。その後、図示していないが、水を前記砂４の上方から振り掛けて、前記砂４を水で締めるようにする（前記砂４が水に塗れて互いに強く結びついて容易に変形しないようにする）。なお、前記水を振り掛けたとき、前記砂４を通過して下降した余分な水は、前記下型枠１の側部１ｂと底板１ａとの間の隙間から外部に流出していく。また、この水の外部への流出をよりスムーズに行なうため、前記底板１ａに複数の穴を形成しておいてもよい。
【００１９】
次に、図３（ｃ）の断面図に示すように、前記大径の自然石３の相互の間の隙間が存在するとき、それらの隙間に、それぞれ、一つ又は複数の小径の自然石５を配置していく。この小径の自然石５は、前記隙間が図示上方から見えなくなる（前記隙間が図示上方に露出しないように）ように、１つ以上配置するようにする。その後、図示していないが、前記小径の自然石５の上に砂を所定量振り掛けて、その振り掛けた砂の上に水を振り掛けて、その砂を締めるようにする。
【００２０】
次に、図４（ａ）の断面図に示すように、前記仮枠２を前記下型枠１から取り外して、前記下型枠１の上に上型枠６をピンなどで取り付ける。前記上型枠６は、図示前方と後方の２つの側面の上端と下端が、前記下型枠１の底板１ａの曲面とほぼ並行な曲線となるように形成されている。また、前記上型枠６の図示左右の２つの側面は、長方形状となっている。また、前記上型枠６は、その下方と上方が開放されている。
【００２１】
次に、図４（ｂ）の断面図に示すように、前記上型枠６内の前記大径の自然石３の上に、補強用の用心鉄筋としてのメッシュ鉄筋７を入れる。
【００２２】
次に、図４（ｃ）の断面図に示すように、前記上型枠６の上方から、前記大径の自然石３及び小径の自然石５を互いに結合・固化させるための固化材（繋ぎ材）としての生コンクリート８を打設する。その際、前記生コンクリート８の図示上面は、前記下型枠１の底板１ａの曲面とほぼ並行な曲面となるようにする。
【００２３】
次に、図４（ｄ）の断面図に示すように、前記生コンクリート８が固化した後、前記上型枠６と下型枠１を取り除き、さらに、クレーンやパワーショベルなどで自然石パネルのコンクリート部分に埋め込まれたアンカー（アンカーフック・アンカーボルト）を吊り上げて自然石パネルを起こして、前記砂４を水で洗い落とす。
【００２４】
これにより、図５の斜視図に示すような、その表面側（図示上側）には前記大径の自然石３及び前記小径の自然石５だけが露出しており、且つ、その表面側が凸状に湾曲し裏面側も前記表面側と並行に湾曲している（そして、表面側の大径の自然石３及び小径の自然石５は裏面側のコンクリート８により互いに結合・固化されている）自然石パネルが製造される。
【００２５】
（実施形態２）　次に、本発明の実施形態２を図６−１０を参照して説明する。なお、以下においては、前記の実施形態１に関して前述した図１−５の説明と重複する部分は一部省略して説明する。
【００２６】
本実施形態２では、まず、図６（ａ）の断面図及び図６（ｂ）の斜視図に示すように、その上面が凸状に湾曲した曲面となっている底板１１ａと、図示前方と後方の２つの面の上端と下端が前記底板１１ａの曲面（上面）と並行に延びる曲線となっている側部１１ｂとから成る下型枠１１を用意する。
【００２７】
次に、図７（ａ）の断面図及び図７（ｂ）の斜視図に示すように、前記下型枠１１の側部１１ｂの上面に、鉄筋製の仮枠１２を取り付ける。この仮枠１２は、前記下型枠１１の中に後述の大径の自然石を並べるとき、前記大径の自然石が前記下型枠１１の側部１１ｂの外側にはみ出さないようにするためのものである。
【００２８】
次に、図８（ａ）の断面図に示すように、前記下型枠１１の中に、大径の自然石１３をびっしりと並べていく。このとき、前記大径の自然石１３は、その下半分より下の部分が前記下型枠１１の中に埋没するように設置する。すなわち、前記大径の自然石１３は、その下半分の高さが、前記下型枠１１の側部１１ｂの高さよりも高いものだけを選別しておくようにする（その理由は、後の工程で前記複数の大径の自然石１３を互いにコンクリートで固化したとき、前記大径の自然石１３が固化したコンクリートから脱落しないようにするためである）。
【００２９】
次に、図８（ｂ）の断面図に示すように、図示上方から砂１４を振り掛けて、前記砂を、前記複数の大径の自然石１３の相互間の隙間から前記底板１１ａの上に流し落して堆積させて行く。その際、前記大径の自然石１３と前記底板１１ａとの間の隙間が前記砂１４で充填され、さらに、前記下型枠１１の側部１１ｂの上端（曲線）まで前記砂１４が充填されるように、前記砂１４を敷き詰める。その後、前記砂１４の上に水を振り掛けて、前記砂１４を水で締めるようにする。
【００３０】
次に、図８（ｃ）の断面図に示すように、前記大径の自然石１３同士の間の隙間に、前記隙間が塞がるように（前記隙間に在る前記砂１４が図示上方に露出しないように）１つ以上の小径の自然石１５を詰めていく。さらに、その後、前記小径の自然石１５の上に所定量の砂を振りかけて、さらに、その振り掛けた砂の上に水を振り掛けて、前記砂を締めるようにする。
【００３１】
次に、図９（ａ）の断面図に示すように、前記仮枠１２を取り外して、上型枠１６を取り付ける。この上型枠１６は、その上下が開口部となっている。また、この上型枠１６は、その図示前方と後方の２つの側面の上端と下端が、前記下型枠１１の底板１１ａの曲面と並行な曲線となっている。また、前記上型枠１６の図示左右の２つの側面は、長方形状となっている。
【００３２】
次に、図９（ｂ）の断面図に示すように、前記上型枠１６の中の前記大径の自然石１３の上に、用心鉄筋としてのメッシュ鉄筋１７を設置する。
【００３３】
次に、図９（ｃ）の断面図に示すように、前記メッシュ鉄筋を設置した前記上型枠１６の中に、図示上方から生コンクリート１８を打設する。この生コンクリートは、前記の複数の大径の自然石１３及び小径の自然石１５を互いに繋ぎ固化させるためのものである。また、この生コンクリート１８は、その図示上面が、前記下型枠１１の底板１１ａの曲面とほぼ並行な曲面となるようにする。
【００３４】
次に、図９（ｄ）の断面図に示すように、前記上型枠１６と下型枠１１を取り除き、クレーンやパワーショベルなどで自然石パネルのコンクリート部分に埋め込まれたアンカー（アンカーフック・アンカーボルト）を吊り上げて自然石パネルを起こして、前記砂１４を水で洗い落とす。
【００３５】
これにより、図１０の斜視図に示すような、その表面側（図示上側）には前記大径の自然石１３及び前記小径の自然石１５だけが露出しており、且つ、その表面側が凹状に湾曲し裏面側も前記表面側と並行に湾曲している（表面側の大径の自然石１３及び小径の自然石１５は裏面側のコンクリート１８により互いに結合・固化されている）自然石パネルが製造される。
【００３６】
（実施形態３）　次に、本発明の実施形態３を図１１に基づいて説明する。本実施形態３では、まず、図１１（ａ）に示すように、平面状に形成された底板２１ａと、４つの長方形状の板から成る側部２１ｂとから成る下型枠２１を用意する。そして、前記下型枠２１の底板２１ａの上に、砂２４を敷き詰める。その際、前記砂２４は、その上面２４ａが図示のように凹状の曲面となるように、敷き詰めるようにする。
【００３７】
次に、図１１（ｂ）に示すように、前の工程でその上面２４ａが凹状の曲面となるように敷き詰めた砂２４の上に、複数の大径の自然石２３を並べていく。その際、前記複数の大径の自然石２３は、互いの間の隙間がなるべく無いように又はなるべく隙間が小さくなるように、びっしりと敷き詰めていく。
【００３８】
次に、図１１（ｃ）に示すように、前記複数の大径の自然石２３の上方から、砂２４ｂを振り掛けて、前記砂２４ｂが前記複数の大径の自然石２３の相互の間の隙間から流れ落ちるようにし、前記砂２４ｂを前記上面２４ａの上に堆積させていく。その際、前記の振り掛けた砂２４ｂが、前記下型枠２１内の前記大径の自然石２３の高さの半分より低い高さの位置まで充填されるように、前記砂２４ｂを敷き詰めるようにする。その後、前記砂２４ｂに水を振り掛けて、前記砂２４ｂを締めるようにする。さらに、その後、前記複数の大径の自然石２３の間の隙間に、小径の自然石２５を詰めていく。その際、前記小径の自然石２５は、前記隙間（隙間に在る砂２４ｂ）が図示上方から見えなくなるように（前記隙間が図示上方には露出していないように）びっしりと詰めていく。その後、前記の詰めた小径の自然石２５の上に所定量の砂を振りかけて、この振り掛けた砂の上に水を掛けて前記砂を締めるようにする。
【００３９】
次に、図１１（ｄ）に示すように、前記下型枠２１の上に上型枠２６を取り付ける。この上型枠２６は、４つの長方形状の側板から成るもので、その上方と下方は開放されている。そして、この上型枠２６の上方から生コンクリート２８を打設する。その際、前記生コンクリート２８は、その図示上面２８ａが前記砂２４の上面２４ａの曲面とほぼ並行な曲面となるように打設する。その後、コンクリート２８が固化したら、前記上型枠２６と下型枠２１とを取り除き、クレーンやパワーショベルなどで自然石パネルのコンクリート部分に埋め込まれたアンカー（アンカーフック・アンカーボルト）を吊り上げて自然石パネルを起こして、前記砂２４及び２４ｂを水で洗い落とす。
【００４０】
以上により、本実施形態３においても、前記実施形態１と同様の、その表面側には前記大径の自然石２３及び前記小径の自然石２５だけが露出しており、且つ、その表面側凸凹状に湾曲しその裏面側も前記表面側と並行に湾曲している（表面側の大径の自然石２３及び小径の自然石２５は裏面側のコンクリート２８により互いに結合・固化されている）自然石パネル（図５参照）が製造されるようになる。
【００４１】
（実施形態４）　次に、本発明の実施形態４を図１２に基づいて説明する。本実施形態４では、まず、図１２（ａ）に示すように、平板状に形成された底板３１ａと、４つの長方形状の板から成る側部３１ｂとから成る下型枠３１を用意する。そして、前記下型枠３１の底板３１ａの上に、砂３４を敷き詰める。その際、前記砂３４は、その上面３４ａが図示のように凸状の曲面となるように、敷き詰めるようにする。
【００４２】
次に、図１２（ｂ）に示すように、前の工程でその上面３４ａが凸状の曲面となるように敷き詰めた砂３４の上に、複数の大径の自然石３３を並べていく。その際、前記複数の大径の自然石３３は、互いの間の隙間がなるべく無いように又はなるべく隙間が小さくなるように、びっしりと敷き詰めていく。
【００４３】
次に、図１２（ｃ）に示すように、砂３４ｂを前記複数の大径の自然石３３の上方から振り掛けて、前記砂３４ｂが前記複数の大径の自然石３３の相互間の隙間から流れ落ちるようにし、前記砂３４ｂを前記上面３４ａの上に堆積させていく。その際、前記の振り掛けた砂３４ｂが、前記下型枠３１内の前記大径の自然石３３の高さの半分以下の高さの位置まで充填されるように、前記砂３４ｂを敷き詰めるようにする。その後、前記砂３４ｂに水を振り掛けて、前記砂３４ｂを締めるようにする。さらに、その後、前記複数の大径の自然石３３の間の隙間に、小径の自然石３５を詰めていく。その際、前記小径の自然石３５は、前記隙間（隙間に在る砂３４ｂ）が図示上方から見えなくなるように（前記隙間が図示上方には露出していないように）びっしりと詰めていく。その後、前記の詰めた小径の自然石３５の上に砂を振りかけて、この振り掛けた砂の上に水を掛けて前記砂を締めるようにする。
【００４４】
次に、図１２（ｄ）に示すように、前記下型枠３１の上に上型枠３６を取り付ける。この上型枠３６は、４つの長方形状の側板から成るもので、その上方と下方は開放されている。そして、この上型枠３６の上方から生コンクリート３８を打設する。その際、前記生コンクリート３８は、その図示上面３８ａが前記砂３４の上面３４ａの曲面とほぼ並行な曲面となるように打設する。その後、コンクリート３８が固化したら、前記上型枠３６と下型枠３１とを取り除き、前記砂３４，３４ｂも、前記自然石パネルを吊り上げて起こしてから、水で洗い落とす
【００４５】
以上により、本実施形態４においても、前記実施形態２と同様の、その表面側には前記大径の自然石３３及び前記小径の自然石３５だけが露出しており、且つ、その表面側が凹状に湾曲しその裏面側も前記表面側と並行に湾曲している（表面側の大径の自然石３３及び小径の自然石３５は裏面側のコンクリート３８により互いに結合・固化されている）自然石パネル（図１０参照）が製造されるようになる。
【００４６】
次に、前記本実施形態１−４のメリット・効果について、図１３−１５を参照して説明する。まず、本実施形態２，４による平面が湾曲した自然石パネル（図１０参照）を建物を建設するための敷地用の擁壁の構造物として使用した場合のメリットを、図１３を参照して説明する。図１３（ａ）は、本実施形態２，４の自然石パネル（図１０参照）を使用して前記擁壁を構成したときの図、図１３（ｂ）は従来の平面が湾曲していない平板状ブロックを使用して前記擁壁を構成したときの図である。
【００４７】
図１３において、地盤面Ｇの２地点Ａ，Ｂから上方に擁壁を構成する場合に、従来の平板状ブロックにより擁壁を構成するときは、図１３（ｂ）に示すように、Ａ””−Ｂ””間の距離を一辺とする面積しか敷地として確保することはできない。これに対して、地盤面Ｇの２地点Ａ，Ｂから上方に擁壁を構成する場合に、本実施形態２，４の自然石パネルにより擁壁を構成するときは、図１３（ａ）に示すようにＡ’−Ｂ’間の距離（Ａ””−Ｂ””間の距離よりも長い距離）を一辺とする大きな面積を敷地として確保することができる。したがって、本実施形態２，４の自然石パネルを擁壁に使用することにより、土地を有効利用することができる。
【００４８】
また、一般的に、擁壁は、図１３（ｂ）のように断面が直線状のものよりも、図１３（ａ）のように断面が凹状の曲線状のものの方が、耐久性が大きいと言われている。なぜなら、上方からの建物などの重量が擁壁に掛かかると、図１３（ｂ）のように断面が直線状だと外側に凸状に盛り上がってしまう（崩れやすくなる）可能性があるが、図１３（ａ）のように断面が凹状の曲線状だとその可能性が無くなるからである。よって、本実施形態２，４による自然石パネルで擁壁を構成すれば、擁壁の耐久性を高めることができる。しかも、本実施形態のような自然石パネルを使用した擁壁は、コンクリートブロックを使用した擁壁よりも格段に耐久性が高いので、本実施形態ではこの点からも擁壁の耐久性が高められる。
【００４９】
次に、本実施形態２，４による平面が湾曲した自然石パネル（図１０参照）を河川の護岸用の擁壁の構造物として使用した場合のメリットを、図１４を参照して説明する。図１４（ａ）は、本実施形態２，４の自然石パネル（図１０参照）を使用して護岸擁壁を構成したときの図、図１４（ｂ）は従来の平面が湾曲していない平板状ブロックを使用して護岸擁壁を構成したときの図である。
【００５０】
図１４において、川底の２地点Ａ，Ｂから上方に護岸擁壁を構成する場合に、従来の平板状ブロックにより護岸擁壁を構成するときは、図１４（ｂ）に示すように、「Ａ””から図示左方向、及び、Ｂ””から図示右方向の土地」だけしか、道路などの土地として確保することはできない。これに対して、川底の２地点Ａ，Ｂから上方に擁壁を構成する場合に、本実施形態２，４の曲面状の自然石パネル（図１０参照）により護岸擁壁を構成するときは、図１４（ａ）に示すように「Ａ’から図示左方向の土地、及び、Ｂ’からずし右方向の土地」（いずれも、前記の「Ａ””から図示左方向、及び、Ｂ””から図示右方向の土地」よりも広い）を道路などの土地として利用することができる。したがって、本実施形態２，４の自然石パネルを護岸擁壁に使用することにより、土地を有効利用することができる。
【００５１】
また、本実施形態２，４の自然石パネルを使用して河川などの護岸擁壁を構成するときは、図１４（ｂ）のＣで示す斜線部分だけ、河川が収容可能な水の容量をより多くすることができる。よって、本実施形態２，４によれば、河川が収容可能な水の容量をより多く確保して、水害の発生の危険性などをより低減させることができる。
【００５２】
なお、護岸擁壁においても、図１４（ｂ）のように断面が直線状のものよりも、図１４（ａ）のように断面が凹状の曲線状のものの方が、長期の耐久性があることは、図１３に関して前述したことと同様である。また、以上の河川の護岸擁壁について述べたことは、港湾の護岸擁壁についてもそのまま当てはまるものである。
【００５３】
次に、本実施形態１−４による平面が湾曲した自然石パネル（図５，図１０参照）をＳ字カーブなどの湾曲した部分を含む道路や河川の擁壁の構造物として使用した場合のメリットを、図１５を参照して説明する。図１５（ａ）は、本実施形態１−４の自然石パネル（図５，図１０参照）を使用して前記擁壁を構成したときの擁壁の一部の展開面を含む図、図１５（ｂ）は従来の平面が湾曲していない平板状ブロックを使用して前記擁壁を構成したときの擁壁の一部の展開面を含む図である。
【００５４】
従来の平板状ブロックを使用して道路や河川のカーブした部分の擁壁を構成するときは、図１５（ｂ）に示すように、平板状ブロックの組み合わせだけでは略扇状の展開面の中の長方形状の部分しかカバーすることができず、略扇状の展開面の中の前記平板状ブロックではカバーできない複数の略扇状の部分（図１５（ｂ）において矢印Ａで指示した斜線部分）については、個々の自然石や小さなコンクリートブロックなどを手作業で積んでいくことが必要になり、擁壁工事の作業効率が悪く、また完成後の擁壁の見栄え・景観も悪くなってしまう。これに対して、本実施形態１−４のような平面が湾曲した自然石パネルを使用して道路や河川のカーブした部分の擁壁を構成するときは、図１５（ａ）に示すように、前記の平面が湾曲した自然石パネルだけで、略扇状の展開面のほぼ全てをカバーすることができる。よって、本実施形態１−４の自然石パネルを使用することにより、道路や河川のカーブした部分の擁壁を構成するときの擁壁工事の作業効率を大幅に向上させることができると共に、完成後の擁壁の見栄え・景観を大幅に向上させられるようになる。
【００５５】
【発明の効果】
以上に説明したように、本発明の自然石パネルの製造方法により製造した自然石パネルを使用して建物を建設するための敷地用の擁壁や河川や港湾の護岸擁壁を構成するときは、従来の平面が湾曲していない平板状ブロックを使用して前記擁壁を構成したときと比較して、建物の建設や道路設置などに使用できる土地の面積をより多く確保することができるので、土地の有効利用が可能になる。
【００５６】
また、一般に擁壁については、従来の平板状ブロックを使用した断面が直線状の擁壁よりも、本発明の曲面状自然石パネルを使用した断面が凹状の曲線状の擁壁の方が、より耐久性が大きい（上方からの建物などの重量が擁壁に掛かかると、断面が直線状の擁壁の場合は外側に凸状に盛り上がってしまう（崩れやすくなる）可能性があるが、断面が凹状の曲線状の擁壁の場合はそのような可能性が無くなるから。しかも、本願発明のような自然石パネルを使用した擁壁は、コンクリートブロックを使用した擁壁よりも格段に耐久性が高い）。したがって、本発明の自然石パネルを使用することにより、擁壁の耐久性を大幅に向上させることが可能になる。
【００５７】
また、河川や港湾の護岸擁壁を本発明による自然石パネルを使用して構成するときは、従来の平面が湾曲していない平板状ブロックを使用して前記擁壁を構成したときと比較して、河川や港湾が収容可能な水の容量をより多くすることができ、水害の発生の危険性などをより低減させることができる。
【００５８】
さらに、Ｓ字カーブなどの湾曲した部分を含む道路や河川の擁壁を本発明による自然石パネルを使用して構成するときは、本発明の曲面状の自然石パネルにより前記擁壁の略扇状の展開面のほぼ全てをカバーすることができるので、道路や河川のカーブした部分の擁壁を構成するときの擁壁工事の作業効率を大幅に向上させることができると共に、完成後の擁壁の見栄え・景観を大幅に向上させられるようになる（これに対して、従来の平面が湾曲していない平板状ブロックを使用して前記擁壁を構成したときは、前記擁壁の略扇状の展開面の一部しかカバーできず、カバーできない部分は個別に自然石やコンクリートブロックなどを積む必要があるため、擁壁工事の作業効率が悪く、完成後の擁壁の見栄え・外観も悪くなってしまう）。
【００５９】
また、本発明による自然石パネルの製造方法においては、前記下型枠の側部の上端の高さが、前記下型枠の底板の上面に並べられた前記大径の自然石の半分の高さよりも低い位置となるように構成されている（前記下型枠の底板の上面から側部の上端までの距離が、前記下型枠の底板の上面に並べられた前記大径の自然石の高さの半分よりも短い距離となるように構成されている）ので、前記大径の自然石を前記下型枠の底板の上面に並べた後に、砂などの粒状体を前記大径の自然石の上から振り掛けて前記大径の自然石の相互の隙間から前記底板の上面に落下させるだけで、前記粒状体は、前記下型枠の側部の上端（上端面）の高さまでの均一な高さに堆積され敷き詰められるようになる（前記の振り掛けられた粒状体の中の余分なものは、振り掛けられた後に、前記下型枠の側部の上端面から外側に落下する）。したがって、本発明によれば、前記粒状体を前記大径の自然石の上から振り掛けて前記大径の自然石の相互の隙間から前記底板の上面に落下させるだけで、前記粒状体の堆積の高さ（この高さは、後の小径の自然石を大径の自然石の相互の隙間に配置する工程での小径の自然石の配置「高さ」になり、自然石パネル完成後の自然石パネルの「目地の高さ」になる）が、自然に、前記下型枠の底板の上面に並べられた前記大径の自然石の高さの半分より低い所定の高さに、統一されるようになる。
【００６０】
また、特に、本発明の自然石パネルの製造方法においては、下型枠内で大径の自然石を並べる前に、下型枠の側部の上方に延びるはみ出し防止用仮枠を備えるようにしているので、下型枠の側部の外側に大径の自然石がはみ出してしまうことが有効に防止されるようになる。したがって、本発明によれば、後の工程で上型枠を下型枠の上に取り付けるときに「下型枠の側部から外側にはみ出した大径の自然石が邪魔になって、上型枠を下型枠にスムーズに取り付けることができない」という不都合を回避することができ、曲面状の自然石パネル製造のための作業をより効率化することが可能になる。
【図面の簡単な説明】
【図１】（ａ）は本発明の実施形態１による自然石パネルの製造方法の中で使用する下型枠を示す断面図、（ｂ）はその斜視図。
【図２】（ａ）は本実施形態１による自然石パネルの製造方法の中で使用する下型枠と仮枠を示す断面図、（ｂ）はその斜視図。
【図３】本実施形態１による自然石パネルの製造方法を説明するための図。
【図４】本実施形態１による自然石パネルの製造方法を説明するための図。
【図５】本実施形態１により製造された自然石パネルを示す斜視図。
【図６】（ａ）は本発明の実施形態２による自然石パネルの製造方法の中で使用する下型枠を示す断面図、（ｂ）はその斜視図。
【図７】（ａ）は本実施形態２による自然石パネルの製造方法の中で使用する下型枠と仮枠を示す断面図、（ｂ）はその斜視図。
【図８】本実施形態２による自然石パネルの製造方法を説明するための図。
【図９】本実施形態２による自然石パネルの製造方法を説明するための図。
【図１０】本実施形態２により製造された自然石パネルを示す斜視図。
【図１１】本発明の実施形態３による自然石パネルの製造方法を説明するための図。
【図１２】本発明の実施形態４による自然石パネルの製造方法を説明するための図。
【図１３】本実施形態１−４により製造された自然石パネルを使用して敷地の擁壁を構成するときのメリットを説明するための図。
【図１４】本実施形態１−４により製造された自然石パネルを使用して河川の護岸擁壁を構成するときのメリットを説明するための図。
【図１５】本実施形態１−４により製造された自然石パネルを使用してカーブのある道路や河川の擁壁を構成するときのメリットを説明するための図。
【符号の説明】
１，１１，２１，３１　下型枠
１ｂ，１１ｂ，２１ｂ，３１ｂ　側部
１ａ，１１ａ，２１ａ　，３１ａ　底板
２，１２　仮枠
３，５，１３，１５，２３，２５，３３，３５　自然石
４，１４，２４，２４ｂ，３４，３４ｂ　砂
６，１６，２６　上型枠
７，１７　メッシュ鉄筋
８，１８，２８　コンクリート
２４ａ，３４ａ　上面
Ａ，Ｂ　地点
Ｇ　地盤面
【図１】
2004122368.tif 000003
【図２】
2004122368.tif 000004
【図３】
2004122368.tif 000005
【図４】
2004122368.tif 000006
【図５】
2004122368.tif 000007
【図６】
2004122368.tif 000008
【図７】
2004122368.tif 000009
【図８】
2004122368.tif 000010
【図９】
2004122368.tif 000011
【図１０】
2004122368.tif 000012
【図１１】
2004122368.tif 000013
【図１２】
2004122368.tif 000014
【図１３】
2004122368.tif 000015
【図１４】
2004122368.tif 000016
【図１５】
2004122368.tif 000017
【手続補正書】
【提出日】平成14年11月12日(2002.11.12)
【手続補正１】
【補正対象書類名】図面
【補正対象項目名】全図
【補正方法】変更
【補正の内容】
【図１】
2004122368.tif 000018
【図２】
2004122368.tif 000019
【図３】
2004122368.tif 000020
【図４】
2004122368.tif 000021
【図５】
2004122368.tif 000022
【図６】
2004122368.tif 000023
【図７】
2004122368.tif 000024
【図８】
2004122368.tif 000025
【図９】
2004122368.tif 000026
【図１０】
2004122368.tif 000027
【図１１】
2004122368.tif 000028
【図１２】
2004122368.tif 000029
【図１３】
2004122368.tif 000030
【図１４】
2004122368.tif 000031
【図１５】
2004122368.tif 000032